(57)【要約】【課題】記事の詳細を容易に閲覧すること。【解決手段】  記事配信サーバ（２）は、複数の記事の中から１の記事を選択し、該選択した１の記事の見出しの少なくとも一部の情報を情報処理装置（１）に通知する通知手段（２１４）を有し、情報処理装置（１）は、通知手段（２１４）により通知された見出しの少なくとも一部の情報を含むアイコンを表示手段（１３）に表示するアイコン表示制御手段（１１７）と、操作検出手段（１１８）が操作を検出すると、操作の検出されたアイコンに表示された見出しに対応する１の記事の本文を表示する詳細表示モードで動作し、アイコンに表示された見出しに対応する１の記事の本文を表示手段（１３）に表示する表示制御手段（１１６）と、を有する。【選択図】図１
2017102652.tif 000002
【特許請求の範囲】
【請求項１】
記事配信サーバと、情報処理装置と、を有して構成する記事配信システムであって、
前記記事配信サーバは、
複数の記事の中から１の記事を選択し、該選択した１の記事の見出しの少なくとも一部の情報を前記情報処理装置に通知する通知手段を有し、
前記情報処理装置は、
複数の記事の見出しを一覧表示する一覧表示モードと複数の記事から選択される１の記事の本文を表示する詳細表示モードとを少なくとも有する記事表示アプリを有し、
前記記事表示アプリは、
前記通知手段により通知された前記見出しの少なくとも一部の情報を含むアイコンを表示手段に表示するアイコン表示制御手段と、
前記アイコンへの操作を検出する操作検出手段と、
前記操作検出手段が前記操作を検出すると、前記操作の検出された前記アイコンに表示された前記見出しに対応する前記１の記事の本文を表示する詳細表示モードで動作し、前記アイコンに表示された前記見出しに対応する前記１の記事の本文を前記表示手段に表示する表示制御手段と、を有することを特徴とする記事配信システム。
【請求項２】
前記通知手段は、
選択した前記１の記事を識別する記事識別子と、前記１の記事の前記見出しの少なくとも一部の情報と、を前記情報処理装置に通知し、
前記表示制御手段は、
前記操作検出手段が前記操作を検出すると、前記記事識別子に対応する前記１の記事を前記記事配信サーバから取得し、該取得した前記１の記事を基に、前記アイコンに表示された前記見出しに対応する前記１の記事の本文を前記表示手段に表示する、ことを特徴とする請求項１記載の記事配信システム。
【請求項３】
前記記事配信サーバは、
選択した前記１の記事を記憶しておき、
前記表示制御手段は、
前記操作検出手段が前記操作を検出すると、前記記事配信サーバで記憶している前記１の記事を前記記事配信サーバから取得し、該取得した前記１の記事を基に、前記アイコンに表示された前記見出しに対応する前記１の記事の本文を前記表示手段に表示する、ことを特徴とする請求項１記載の記事配信システム。
【請求項４】
前記通知手段は、
複数のユーザの評価指標によって得られる各記事に対する社会的な嗜好度を基に、所定の時間帯の複数の記事の中で社会的な嗜好度が所定以上の記事を選択する、ことを特徴とする請求項１記載の記事配信システム。
【請求項５】
複数の記事の見出しを一覧表示する一覧表示モードと複数の記事から選択される１の記事の本文を表示する詳細表示モードとを少なくとも有する記事表示アプリを有する情報処理装置であって、
それぞれ本文と見出しとを含む複数の記事から選択される１の記事の前記見出しの少なくとも一部の情報を含んで表示手段に表示されるアイコンへの操作を検出する操作検出手段と、
前記操作検出手段が前記操作を検出すると、前記操作の検出された前記アイコンに表示された前記見出しに対応する前記１の記事の本文を表示する詳細表示モードで動作し、前記アイコンに表示された前記見出しに対応する前記１の記事の本文を前記表示手段に表示する表示制御手段と、を有することを特徴とする情報処理装置。
【請求項６】
複数の記事の見出しを一覧表示する一覧表示モードと複数の記事から選択される１の記事の本文を表示する詳細表示モードとを少なくとも有する記事表示アプリを有するコンピュータに実行させるプログラムであって、
それぞれ本文と見出しとを含む複数の記事から選択される１の記事の前記見出しの少なくとも一部の情報を含んで表示手段に表示されるアイコンへの操作を検出する操作検出処理と、
前記操作検出処理が前記操作を検出すると、前記操作の検出された前記アイコンに表示された前記見出しに対応する前記１の記事の本文を表示する詳細表示モードで動作し、前記アイコンに表示された前記見出しに対応する前記１の記事の本文を前記表示手段に表示する表示制御処理と、を前記コンピュータに実行させることを特徴とするプログラム。
【発明の詳細な説明】
【技術分野】
【０００１】
本発明は、ニュース等の記事を配信する技術に関する。
【背景技術】
【０００２】
近年は、パーソナルコンピュータ、スマートフォン、タブレット等のネットワークに接続可能な情報処理装置が広く普及している。また、近年では、ネットワーク上のニュース等の各種記事を集めて独自のインタフェースでユーザに配信することが可能なニュースアプリも数多く提供されている。このニュースアプリを情報処理装置にインストールすることで、ユーザは、そのニュースアプリを用いて様々なカテゴリの記事を纏めて読むことができる。
【０００３】
なお、上述したニュースアプリには、プッシュ通知機能を持つアプリもある。プッシュ通知機能とは、サーバ装置から何らかの通知を受け取ると、その通知内容を表示画面上に表示させる機能であり、例えば、特許文献１（特表２０１４−５０１９７９号公報）の段落０１１８等に開示されている。
【０００４】
上述したニュースアプリにおいてプッシュ通知機能を用いることで、サーバ装置において記事の更新があった場合に、最新の記事の見出し等の情報をプッシュ通知で情報処理装置に通知し、情報処理装置の表示画面上に最新の記事の見出し等の情報を含むアイコンを表示することができる。これにより、情報処理装置のユーザは、表示画面上のアイコンを閲覧することで、最新の記事の見出し等の情報を把握することができる。そして、表示画面上のアイコンをタップすることで、最新の記事の一覧を表示画面上に表示することができる。
【先行技術文献】
【特許文献】
【０００５】
【特許文献１】特表２０１４−５０１９７９号公報
【発明の概要】
【発明が解決しようとする課題】
【０００６】
しかし、上述したニュースアプリは、表示画面上に最新の記事の見出し等の情報を含むアイコンが表示された際に、そのアイコンをタップすると、最新の記事の一覧を表示画面上に表示することになる。このため、アイコンに表示された記事の詳細を閲覧するためには、表示画面上に表示された最新の記事の一覧の中から閲覧したい記事を探し出して選択する必要がある。そのため、記事の詳細を閲覧するのに面倒な操作を行う必要がある。また、アイコンに表示された記事の詳細を閲覧したいと思っても、記事の一覧が表示画面に表示されるため、その記事の一覧の中から閲覧したい記事を探す必要がある。
【０００７】
このため、記事の詳細を容易に閲覧することを可能にする仕組みが所望されている。
【０００８】
なお、特許文献１には、閲覧するメッセージを重要性の高いメッセージに限定する内容について開示されている。具体的には、段落０１１８等に開示されているように、新規メッセージを含むプッシュ通知をクライアント端末に送信し、新規メッセージが優先メッセージを含むことを示す情報がプッシュ通知に含まれている場合は、電子メール構成設定（例えば、重要メールのみ自動同期に設定）に従って、プッシュ通知を無視するか否かの制御を行っている。これにより、プッシュ通知に重要メールが含まれている場合は、プッシュ通知を行い、プッシュ通知に重要メールが含まれていない場合は、プッシュ通知を無視するように制御し、閲覧するメッセージを重要性の高いメッセージに限定することを可能にしている。しかし、特許文献１には、記事の詳細を容易に閲覧することについては何ら考慮されていない。
【０００９】
本発明の目的は、記事の詳細を容易に閲覧することにある。
【課題を解決するための手段】
【００１０】
本発明の一態様にかかる記事配信システムは、
記事配信サーバと、情報処理装置と、を有して構成する記事配信システムであって、
前記記事配信サーバは、
複数の記事の中から１の記事を選択し、該選択した１の記事の見出しの少なくとも一部の情報を前記情報処理装置に通知する通知手段を有し、
前記情報処理装置は、
複数の記事の見出しを一覧表示する一覧表示モードと複数の記事から選択される１の記事の本文を表示する詳細表示モードとを少なくとも有する記事表示アプリを有し、
前記記事表示アプリは、
前記通知手段により通知された前記見出しの少なくとも一部の情報を含むアイコンを表示手段に表示するアイコン表示制御手段と、
前記アイコンへの操作を検出する操作検出手段と、
前記操作検出手段が前記操作を検出すると、前記操作の検出された前記アイコンに表示された前記見出しに対応する前記１の記事の本文を表示する詳細表示モードで動作し、前記アイコンに表示された前記見出しに対応する前記１の記事の本文を前記表示手段に表示する表示制御手段と、を有することを特徴とする。
【発明の効果】
【００１１】
本発明の一態様によれば、記事の詳細を容易に閲覧することができる。
【図面の簡単な説明】
【００１２】
【図１】本実施形態の記事配信システムのシステム構成例を示す図である。
【図２】情報ソールテーブルのデータ例を示す図である。
【図３】プロファイル情報の設定画面例を示す図である。
【図４】操作表示部１３に表示される画面遷移例を示す図である。
【図５】操作表示部１３に表示される各画面例を示す第１の図である。
【図６】操作表示部１３に表示される各画面例を示す第２の図である。
【図７】本実施形態の記事配信システムの処理動作例を示す図である。
【図８】操作表示部１３に表示されるアイコンの構成例を示す図である。
【図９】第２の実施形態の記事配信システムの処理動作例を示す図である。
【図１０】本実施形態の記事配信システムの他の構成例および処理動作例を示す図である。
【発明を実施するための形態】
【００１３】
（本発明の一態様にかかる記事配信システムの概要）
まず、図１を参照しながら、本発明の一態様にかかる記事配信システムの概要について説明する。図１は、本発明の一態様にかかる記事配信システムのシステム構成例を示す。
【００１４】
本発明の一態様にかかる記事配信システムは、図１に示すように、記事配信サーバ２と、情報処理装置１と、を有して構成する。
【００１５】
記事配信サーバ２は、複数の記事の中から１の記事を選択し、該選択した１の記事の見出しの少なくとも一部の情報を情報処理装置１に通知する通知手段を有して構成する。通知手段は、例えば、図１に示すプッシュ通知部２１４が機能する。
【００１６】
情報処理装置１は、複数の記事の見出しを一覧表示する一覧表示モードと複数の記事から選択される１の記事の本文を表示する詳細表示モードとを少なくとも有する記事表示アプリ１０を有して構成する。記事表示アプリ１０は、通知手段により通知された見出しの少なくとも一部の情報を含むアイコンを表示手段に表示するアイコン表示制御手段と、アイコンへの操作を検出する操作検出手段と、操作検出手段が操作を検出すると、操作の検出されたアイコンに表示された見出しに対応する１の記事の本文を表示する詳細表示モードで動作し、アイコンに表示された見出しに対応する１の記事の本文を表示手段に表示する表示制御手段と、を有する。表示手段は、例えば、図１に示す操作表示部１３が機能する。また、アイコン表示制御手段は、例えば、図１に示すアイコン表示制御部１１７が機能する。操作検出手段は、例えば、図１に示す操作検出部１１８が機能する。表示制御手段は、例えば、図１に示す表示制御部１１６が機能する。
【００１７】
本発明の一態様にかかる記事配信システムは、記事配信サーバ２は、複数の記事の中から１の記事を選択し、該選択した１の記事の見出しの少なくとも一部の情報を情報処理装置１に通知する。そして、情報処理装置１は、記事配信サーバ２から通知された見出しの少なくとも一部の情報を含むアイコンを表示手段に表示する。そして、アイコンへの操作を検出すると、アイコンに表示された見出しに対応する１の記事の本文を表示する詳細表示モードで動作し、アイコンに表示された見出しに対応する１の記事の本文を表示手段に表示する。
【００１８】
これにより、情報処理装置１のユーザは、記事の見出しの一部の情報を含むアイコンを操作するだけで、そのアイコンに表示された見出しに対応する１の記事の本文を表示手段に表示することができる。その結果、情報処理装置１のユーザは、記事配信サーバ２から通知された記事の詳細を簡易な操作で容易に閲覧することができる。以下、添付図面を参照しながら、本発明の一態様にかかる記事配信システムについて詳細に説明する。
【００１９】
（第１の実施形態）
＜記事配信システムのシステム構成例＞
まず、図１を参照しながら、本実施形態の記事配信システムのシステム構成例について説明する。図１は、本実施形態の記事配信システムのシステム構成例を示す図である。
【００２０】
本実施形態の記事配信システムは、情報処理装置１と、記事配信サーバ２と、がネットワークＮＷを介して接続して構成する。ネットワークＮＷは、有線、無線を問わずあらゆる通信形態が適用可能である。
【００２１】
記事配信サーバ２は、各種記事を情報処理装置１に配信するアプリケーションサーバである。
【００２２】
情報処理装置１は、スマートフォン、タブレット端末等の各種の機器が該当し、記事配信サーバ２から各種記事を取得し、その取得した各種記事を表示する。
【００２３】
＜記事配信サーバ２の構成例＞
本実施形態の記事配信サーバ２は、制御部２１、記憶部２２を有して構成する。制御部２１は、記事配信サーバ２を制御する。記憶部２２は、各種情報を記憶する。
【００２４】
制御部２１は、記事取得部２１１、社会的注目度解析部２１２、記事配信部２１３、プッシュ通知部２１４を有して構成する。
【００２５】
記事取得部２１１は、ネットワークＮＷから各種記事を取得する。例えば、コンテンツプロバイダのサーバ等から各種記事を取得する。記事取得部２１１は、ネットワークＮＷから取得した各種記事を記事蓄積部２２２に蓄積する。記事取得部２１１は、朝、昼、夕方、夜などの所定の時間帯で取得した各種記事を当該時間帯及びカテゴリ毎に区分けして記事蓄積部２２２に蓄積する。これにより、記事蓄積部２２２は、時間帯及びカテゴリ毎に区分けして各種記事を蓄積することができる。各種記事は、それぞれ本文と見出しとを含んで構成する。
【００２６】
社会的注目度解析部２１２は、各記事に対する他ユーザの興味推定値である社会的注目度を求める。記事蓄積部２２２には、各種記事を予め定めたカテゴリ毎に分類して蓄積している。社会的注目度解析部２１２は、記事蓄積部２２２に蓄積された各種記事の社会的注目度を求める。
【００２７】
これにより、どの記事の社会的注目度が高く、どの記事の社会的注目度が低いのかを把握することができる。社会的注目度は、複数のユーザの記事に対する相対的な嗜好の度合いを特定する指標となる値であり、複数のユーザの評価指標によって得られる。社会的注目度は、記事に対する得点、偏差値、順位、あるいはそれらを組み合わせたものがあげられる。
【００２８】
社会的注目度の高い記事は、複数のユーザが相対的にその記事に興味があることを意味する。社会的注目度の低い記事は、複数のユーザが相対的にその記事に興味がないことを意味する。社会的注目度は、記事のＳＮＳにおける引用回数、特にＴｗｉｔｔｅｒにおけるツイート数に基づいて決定しても良い。
【００２９】
また、記事を気に入ったユーザ数に基づいて決定する。また、記事のページビュー、ＰａｇｅＲａｎｋ（登録商標）等の他のユーザによる記事の閲覧操作によって決定しても良い。記事の社会的注目度は、複数のユーザによってリアルタイムに求められるため、学習速度が早い。
【００３０】
記事配信部２１３は、記事蓄積部２２２に蓄積した各種記事を情報処理装置１に配信する。記事蓄積部２２２に蓄積した各種記事は、情報処理装置１が記事配信サーバ２に接続した際に、情報処理装置１に配信する。これにより、情報処理装置１は、記事配信サーバ２にアクセスした際に、最新の時間帯から順番に各種記事を取得して操作表示部１３で閲覧することができる。
【００３１】
プッシュ通知部２１４は、情報処理装置１に各種情報をプッシュ通知する。例えば、記事蓄積部２２２に蓄積された複数の記事の中から所定のルールで記事を選択し、その選択した記事に関する見出し等の情報を情報処理装置１にプッシュ通知する。
【００３２】
記憶部２２は、記事蓄積部２２２を有して構成する。
【００３３】
記事蓄積部２２２は、記事取得部２１１がネットワークＮＷから取得した各種記事を予め定めたカテゴリ及び時間帯毎に分類して蓄積する。
【００３４】
＜情報処理装置１の構成例＞
本実施形態の情報処理装置１は、制御部１１、記憶部１２、操作表示部１３を有して構成する。制御部１１は、情報処理装置１を制御する。記憶部１２は、各種情報を記憶する。操作表示部１３は、各種情報を表示したり、各種情報を入力したりする。操作表示部１３は、例えばタッチパネルディスプレイ等であり、各種記事を画面表示すると共に、ユーザによる操作入力を受け付ける。
【００３５】
記憶部１２は、記事蓄積部１２１、プロファイル情報記憶部１２２を有している。
【００３６】
記事蓄積部１２１は、記事配信サーバ２の記事配信部２１３から配信される各種記事を取得して予め定めたカテゴリ及び時間帯毎に分類して蓄積する。
【００３７】
記事蓄積部１２１は、例えば、図２に示すような情報ソーステーブルに基づいて記事配信サーバ２から取得した各種記事をカテゴリ及び時間帯毎に分類して記憶する。図２に示す情報ソーステーブルは、「政治」、「経済」、「スポーツ」等のカテゴリが各ＵＲＩに紐付けられている。
【００３８】
記事は、このＵＲＩに基づいて取得したＲＳＳやＡｔｏｍフィードに含まれる１つ１つである。これにより、記事蓄積部１２１には、様々なカテゴリの各種記事が時間帯毎に蓄積されることになる。
【００３９】
プロファイル情報記憶部１２２は、ユーザのプロファイル情報を記憶する。例えば、図３に示すような、性別、郵便番号、生年月日、利用しているスマートフォン及びＰＣのＯＳ等のプロファイル情報を記憶する。
【００４０】
プロファイル情報を記憶する際は、情報処理装置１にて利用可能な形式であれば、ＣＳＶ形式やＸＭＬ形式等のファイルとして記憶しても良く、また、ＳＱＬｉｔｅ等のデータベースのテーブルに格納するようにしても良い。
【００４１】
制御部１１は、記事表示アプリ１０を有している。記事表示アプリ１０は、複数の記事の見出しを一覧表示する一覧表示モードと複数の記事から選択される１の記事の本文を表示する詳細表示モードとを少なくとも有するアプリであり、この記事表示アプリ１０を起動して複数の記事の見出しの一覧を操作表示部１３に表示したり、１の記事の本文を操作表示部１３に表示したりする。
【００４２】
記事表示アプリ１０は、記事取得部１１１、社会的注目度解析部１１２、個人的注目度解析部１１３、纏め部１１４、記事選択部１１５、表示制御部１１６、アイコン表示制御部１１７、操作検出部１１８を有して構成する。
【００４３】
記事取得部１１１は、記事配信サーバ２から各種記事を取得する。記事取得部１１１が取得した各種記事は、記事蓄積部１２１にカテゴリ及び時間帯毎に分類して蓄積する。
【００４４】
社会的注目度解析部１１２は、各記事に対する他ユーザの興味推定値である社会的注目度を求める。社会的注目度解析部１１２は、記事配信サーバ２の社会的注目度解析部２１２で求めた社会的注目度を取得しても良い。これにより、どの記事の社会的注目度が高く、どの記事の社会的注目度が低いのかを把握することができる。なお、社会的注目度解析部１１２は、記事配信サーバ２の社会的注目度解析部２１２と同様に社会的注目度を求めることも可能である。
【００４５】
本実施形態の社会的注目度解析部１１２は、社会的注目度を求める際に、プロファイル情報記憶部１２２に記憶しているユーザのプロファイル情報を参照し、プロファイル情報が似ているユーザの評価指標に基づいて社会的注目度を求めるようにしても良い。具体的な例を以下に記載する。
【００４６】
社会的注目度は、記事のＳＮＳにおける引用回数、特にＴｗｉｔｔｅｒにおけるツイート数に基づいて求めることができる。しかし、仮にＴｗｉｔｔｅｒを利用しているユーザに２０歳代の男性が多い場合、Ｔｗｉｔｔｅｒ全体のツイート数に基づいて決定された社会的注目度には、２０歳代の男性の注目度が大きく影響する。
【００４７】
そのため、Ｔｗｉｔｔｅｒ全体のツイート数に基づいて社会的注目度が高いと判断された記事は、例えば２０歳代男性と嗜好が大きく異なると考えられる４０歳代女性の大部分にとっては、興味がないものである場合がある。
【００４８】
そこで、例えばユーザが４０代女性であることがプロファイル情報から分かっている場合、４０代女性のツイート数に基づき社会的注目度を求めるようにすることで、よりユーザの嗜好に合わせた社会的注目度を求めることができる。これにより、各ユーザに合わせた内容の記事の提供が可能となる。
【００４９】
個人的注目度解析部１１３は、各記事に対するユーザの興味推定値である個人的注目度を求める。記事蓄積部１２１には、各種記事を予め定めたカテゴリ毎に分類して蓄積している。
【００５０】
個人的注目度解析部１１３は、記事蓄積部１２１に蓄積された各種記事の個人的注目度を求める。これにより、どの記事の個人的注目度が高く、どの記事の個人的注目度が低いのかを把握することができる。
【００５１】
個人的注目度は、ユーザ個人の記事に対する嗜好の度合いを特定する指標となる値であり、ユーザ個人の評価指標によって得られる。個人的注目度は、記事に対する得点、偏差値、順位、あるいはそれらを組み合わせたものがあげられる。
【００５２】
個人的注目度の高い記事は、ユーザ個人がその記事に興味があることを意味し、個人的注目度の低い記事は、ユーザ個人がその記事に興味がないことを意味する。記事蓄積部１２１は、各種記事をカテゴリ毎に分類して蓄積している。
【００５３】
このため、個人的注目度の高い記事のカテゴリは、注目度が高くなり、個人的注目度の低い記事のカテゴリは、注目度が低くなる。これにより、カテゴリに対する注目度も求めることができる。
【００５４】
個人的注目度は、例えば、操作表示部１３に表示した記事に対するユーザ操作およびその記事に含まれるキーワードを用いて決定する。ユーザ操作としては、例えば、記事を開いた、記事を開かなかった、記事に対して良いコメントをした、記事に対して悪いコメントをした、記事を保存した、記事を捨てた等の操作があげられる。
【００５５】
このユーザ操作の中で、記事を開いた、記事に対して良いコメントをした、記事を保存した等の操作は、個人的注目度と正の相関を示す操作に該当する。また、記事を開かなかった、記事に対して悪いコメントをした、記事を捨てた等の操作は、個人的注目度と負の相関を示す操作に該当する。
【００５６】
これにより、個人的注目度と正の相関を示す操作が行われた記事に含まれるキーワードと同じキーワードを含む記事は、個人的注目度が高くなり、個人的注目度と負の相関を示す操作が行われた記事に含まれるキーワードと同じキーワードを含む記事は、個人的注目度が低くなる。なお、記事の個人的注目度は、ユーザ操作によって求められるため、学習速度が遅い。
【００５７】
纏め部１１４は、内容が一致する複数の記事を、その内容を特定する項目に紐付けて纏めてグループ化する。纏め部１１４は、記事蓄積部１２１に蓄積された各種記事の内容を解析し、内容が一致する記事がある場合に、その内容が一致する記事を、その内容を特定する項目に紐付けて纏めてグループ化する。
【００５８】
記事の内容が一致するか否かは、例えば、記事に含まれる主要なキーワードを比較し、主要なキーワードが一致する場合は、記事の内容が一致すると判断する。主要なキーワードは、形態素解析等を用いることで名詞等のキーワードを記事から抽出し、その抽出したキーワードの中からキーワードの出現頻度等により記事の内容を特定することが可能な主要なキーワードを抽出する。
【００５９】
纏め部１１４は、内容が一致する記事がある場合に、双方の記事の中で一致した主要なキーワードを、内容を特定する項目とし、その主要なキーワードに紐付けて複数の記事を纏める。
【００６０】
纏め部１１４は、同一の項目に紐付けた複数の記事に対する個人的注目度と社会的注目度とを基に、項目に対する注目度を求める。項目に対する注目度は、各記事に対する個人的注目度と社会的注目度とを単に加算した値にしても良い。
【００６１】
また、個人的注目度と社会的注目度とに対して任意の重み付けを施して加算した値にしても良い。この場合、個人的注目度に施す重み付けと社会的注目度に施す重み付けとを任意に設定変更するようにすることも可能である。
【００６２】
記事選択部１１５は、操作表示部１３に表示する表示対象の記事を選択する。記事選択部１１５は、表示対象の記事を表示する際の表示画面の表示形式に応じて、表示対象とされる所定数の記事を、個人的注目度解析部１１３で求めた個人的注目度、社会的注目度解析部１１２で求めた社会的注目度等を用いて選択する。
【００６３】
なお、本実施形態において表示対象とは、操作表示部１３に一度に表示される表示画面に加えて、表示画面のスクロールにより表示される画面についても、表示対象として扱う対象に含める。
【００６４】
記事選択部１１５は、表示対象とされる所定数の記事の中に、纏め部１１４により同一の項目に紐付けられた記事が複数存在する場合は、その同一の項目に紐付けられた複数の記事の中から代表的な１つの記事を表示対象とされる記事として選択する。
【００６５】
代表的な１つの記事は、例えば、同一の項目に紐付けられた複数の記事の中で最も注目度の高い記事とすることが好ましい。この場合、個人的注目度解析部１１３で求めた個人的注目度が最も高い記事、社会的注目度解析部１１２で求めた社会的注目度が最も高い記事、個人的注目度解析部１１３で求めた個人的注目度と社会的注目度解析部１１２で求めた社会的注目度とを総合した総合注目度が最も高い記事を代表的な１つの記事にする。
【００６６】
総合注目度は、個人的注目度と社会的注目度とを単に加算した値にしても良く、また、個人的注目度と社会的注目度とに対して任意の重み付けを施して加算した値にしても良い。この場合、個人的注目度に施す重み付けと社会的注目度に施す重み付けとを任意に設定変更するようにすることも可能である。
【００６７】
例えば、初期の段階は、個人的注目度の学習速度が遅いため、個人的注目度の重み付けを社会的注目度よりも大きくするようにし、個人的注目度の学習が蓄積されていくに従い、個人的注目度の重み付けを小さくしていき最終的に社会的注目度と同じ重み付けにするようにしても良い。
【００６８】
また、代表的な記事は、記事のページビュー、ＰａｇｅＲａｎｋ等の他のユーザによる注目度によって決定しても良いし、記事の情報量（文字数や写真の有無）等で決定しても良い。また、記事の一般的（マス的、平均値、社会的）な重要度を求めても良い。一定時間あたりの平均アクセス数、ＧｏｏｇｌｅのＰａｇｅＲａｎｋ、サイト内での扱い方（ｐｉｃｋｕｐされているか、掲載場所はどこか等）から重要度を計算する。
【００６９】
表示制御部１１６は、記事選択部１１５で表示対象とされた記事を操作表示部１３に表示する。この場合、表示制御部１１６は、記事蓄積部１２１に蓄積された記事を用いて、記事選択部１１５で表示対象とされた記事に対応する一覧用画像を生成する。
【００７０】
なお、表示制御部１１６は、一覧用画像を生成するために、詳細情報や画像データ等の追加で取得が必要な所定種類の他の情報が存在する場合は、その所定種類の情報を追加情報として取得する。例えば、記事に画像データが存在しない場合は、その記事のカテゴリに対応する画像データを取得する。カテゴリに対応する画像データは、記事配信サーバ２等から取得して記憶部１２等に予め記憶しておくことになる。
【００７１】
なお、記事蓄積部１２１に蓄積された記事で一覧用画像を生成可能であれば、追加情報なしで一覧用画像を生成する。なお、表示制御部１１６は、記事の取得のために配信される配信用情報を基に表示対象とされた記事の一覧用画像を作成することも可能である。配信用情報としては、ＲＳＳやＡｔｏｍフィード等の各種フィードがあげられる。
【００７２】
表示制御部１１６は、記事蓄積部１２１に蓄積された記事を用いて、例えば、画像データ、ＲＳＳフィードに含まれる要約テキストデータを予め定められたレイアウトで配置する等の方法により、表示対象として選択された各記事に対応する一覧用画像を生成する。
【００７３】
次に、表示制御部１１６は、設定された一覧画面の表示形式に応じて、上記生成した一覧用画像を所定の画面フォーマット内に配置し、操作表示部１３に表示させる一覧表示画面を生成し、操作表示部１３に表示する。
【００７４】
また、一覧用画像は、個人的注目度解析部１１３で求めた個人的注目度と、社会的注目度解析部１１２で求めた社会的注目度と、に基づいて総合注目度の高いカテゴリ単位から順に並べられ、設定された表示形式に応じて、一覧表示画面の所定の画面フォーマット内に配置されるようにしても良い。
【００７５】
アイコン表示制御部１１７は、記事配信サーバ２からプッシュ通知を受け付けた場合に、そのプッシュ通知に含まれる記事に関する見出し等の情報を含むアイコンを操作表示部１３に表示する。このアイコンを操作表示部１３に表示することで、ユーザは、記事配信サーバ２からプッシュ通知で通知された記事に関する見出し等の情報を把握することができる。
【００７６】
操作検出部１１８は、操作表示部１３に表示されたアイコンの領域が操作されたことを検出する。例えば、ユーザがアイコンをタップするなどの操作を行った場合にアイコンの領域が操作されたことを検出する。
【００７７】
＜操作表示部１３に表示される画面の遷移例＞
次に、図３〜図６を参照しながら、操作表示部１３に表示される画面の遷移について説明する。図３は、プロファイル情報の設定画面例を示す図である。図４は、操作表示部１３に表示される画面遷移例を示す図である。図５、図６は、操作表示部１３に表示される各画面例を示す図である。
【００７８】
まず、情報処理装置１にインストールされている記事表示アプリ１０を起動すると、図４に示す起動画面２０１が操作表示部１３に表示される。起動画面２０１が表示されている間に、前述の記事取得等の処理が行われるようにしても良い。図５の（ａ）は起動画面２０１を示している。
【００７９】
次に、図４に示すように、起動画面２０１が表示されている状態で、一定時間経過や所定の処理の完了等の条件が満たされると、自動的にカテゴリ順一覧表示画面２０２が表示される。カテゴリ順一覧表示画面２０２では、全てのカテゴリの中から、ユーザの興味度等に応じて記事を一覧表示する。
【００８０】
カテゴリ順一覧表示画面２０２は、記事を表示する画面として、最も上位の階層の画面である。図５の（ｂ）は、「１２月２０日の夜」の時間帯のカテゴリ順一覧表示画面２０２を示している。
【００８１】
次に、カテゴリ順一覧表示画面２０２のカテゴリ一覧メニューからカテゴリを選択すること等により、カテゴリ内一覧表示画面２０３へ遷移する。カテゴリ内一覧表示画面２０３では、特定のカテゴリの記事の一覧を表示する。
【００８２】
カテゴリ順一覧表示画面２０２では、「政治」、「経済」、「スポーツ」、「デザイン・アート」等の全てのカテゴリの記事が表示されていたのに対して、例えば、カテゴリ「デザイン・アート」が選択されている場合、カテゴリ内一覧表示画面２０３ではカテゴリが「デザイン・アート」である記事の一覧が表示される。
【００８３】
カテゴリ内一覧表示画面２０３における記事の表示順序は、カテゴリ順一覧表示画面２０２と同様に、ユーザの興味度等に基づくものであっても良い。図５の（ｃ）はカテゴリ内一覧表示画面２０３を示しており、カテゴリ一覧メニューとは、図６の（ｃ）に示すようなメニューである。
【００８４】
また、図４に示すように、カテゴリ順一覧表示画面２０２またはカテゴリ内一覧表示画面２０３で、１つの記事をタップ等により選択することによって、詳細表示画面２０４に遷移する。詳細表示画面２０４は、図５の（ｄ）に示すような画面であり、選択した記事の本文等を表示する。記事の本文は、記事の画像及び記事の詳細な情報等を含んで構成する。詳細表示画面２０４は、最も下位の階層の画面である。
【００８５】
また、図４に示すように、カテゴリ内一覧表示画面２０３または詳細表示画面２０４においては、１つ上の階層の画面に戻ることができる。戻る動作は、戻るボタンを押下することや、スワイプによって行われるようにしても良い。また詳細表示画面２０４においては、前後の記事への遷移が行われるようにしても良い。
【００８６】
また、図４に示すように、前述の起動画面２０１、カテゴリ順一覧表示画面２０２、カテゴリ内一覧表示画面２０３、詳細表示画面２０４における遷移以外にも、オーバーレイ画面の表示による画面遷移が行われるようにしても良い。
【００８７】
例えば、カテゴリ順一覧表示画面２０２においては以下のような動作を行わせても良い。即ち、上部から下に向かってスワイプすることで天気詳細２１１が表示され、左から右に向かってスワイプすることで設定一覧２１３が表示され、右から左に向かってスワイプすることでカテゴリ一覧２１２が表示される。
【００８８】
なお、図６の（ａ）は天気詳細２１１が表示された状態、図６の（ｂ）は設定一覧２１３が表示された状態、図６の（ｃ）はカテゴリ一覧２１２が表示された状態を示している。
【００８９】
また、カテゴリ一覧２１２で、１つのカテゴリを選択すると、カテゴリ内一覧表示画面２０３に遷移し、選択したカテゴリの記事が表示されるようにしても良い。また、例えば、設定一覧２１３のプロファイル設定を選択すると、図３に示すようなプロファイル情報の設定画面が表示される。
【００９０】
本実施形態の記事表示アプリ１０は、複数の記事の見出しを一覧表示する一覧表示モードと複数の記事から選択される１の記事の本文を表示する詳細表示モードとを少なくとも有して構成し、一覧表示モードが動作している場合は、カテゴリ順一覧表示画面２０２やカテゴリ内一覧表示画面２０３を操作表示部１３に表示することになる。また、詳細表示モードが動作している場合は、詳細表示画面２０４を操作表示部１３に表示することになる。
【００９１】
＜記事配信システムの処理動作例＞
次に、図７を参照しながら記事配信システムの処理動作例について説明する。図７は、プッシュ通知時の処理動作例を示す。
【００９２】
記事配信サーバ２の記事配信部２１３は、所定の時間になった場合に（ステップS1／Yes）、その所定の時間帯で記事蓄積部２２２に蓄積されている各種記事の中から所定のルールで記事を選択する（ステップS2）。例えば、所定の時間帯で記事蓄積部２２２に蓄積されている各種記事の中から社会的注目度が所定以上の記事を選択する。なお、好ましくは、社会的注目度が最も高い記事を選択する。所定の時間は、情報処理装置１のユーザが任意に設定することが可能であり、例えば、朝８時、昼１２時、夜１８時など任意に設定することができる。
【００９３】
次に、記事配信部２１３は、その選択した記事を一意に識別する記事識別子を含むアプリ起動コマンドと、その選択した記事の見出しの一部の情報と、を含むプッシュ通知をプッシュ通知部２１４に依頼する（ステップS3）。アプリ起動コマンドは、記事表示アプリ１０を起動するためのコマンドである。記事の見出しの一部の情報は、記事の見出しの内容がユーザにとって把握しやすい情報にする。プッシュ通知に含む記事の見出しの一部の情報は、記事蓄積部２２２に蓄積された記事の見出しの内容を基に記事配信部２１３が作成する。なお、記事蓄積部２２２に蓄積された記事の見出しの内容を基に、プッシュ通知に含める際の記事の見出しの一部の情報を予め作成し、記事蓄積部２２２に蓄積しておくようにすることも可能である。
【００９４】
プッシュ通知部２１４は、プッシュ通知依頼を受け付けた場合に、記事識別子を含むアプリ起動コマンドと、記事の見出しの一部の情報と、を含むプッシュ通知を情報処理装置１に通知する（ステップS4）。
【００９５】
情報処理装置１は、プッシュ通知が届いた際に、プッシュ通知に含まれるアプリ起動コマンドにより表示アプリ１０が起動し、表示アプリ１０が記事の見出しの一部の情報を取得する。表示アプリ１０が記事の見出しの一部の情報を取得すると、アイコン表示制御部１１７は、表示アプリ１０が取得した記事の見出しの一部の情報を含むアイコンを操作表示部１３に表示する（ステップS5）。プッシュ通知が届いた場合は、表示アプリ１０は、起動画面２０１を表示するのではなく、図８に示すような記事の見出しの一部の情報を含むアイコン８０を操作表示部１３に表示する。図８では、記事の見出しの一部の情報である「アグレッシブな空間」を含むアイコン８０が表示されている。これにより、情報処理装置１のユーザは、操作表示部１３に表示されたアイコン８０を閲覧することで記事の見出しの内容を把握することができる。なお、図８に示すアイコン８０の表示は一例であり、記事の見出しの一部の情報を含むアイコン８０であれば、その表示方法等は特に限定せず、様々な表示形式のアイコンを操作表示部１３に表示することが可能である。
【００９６】
なお、プッシュ通知が届く前に表示アプリ１０が起動していない場合は、プッシュ通知が届いた際に、アプリ起動コマンドにより表示アプリ１０が起動し、表示アプリ１０が記事の見出しの一部の情報を取得することになる。また、プッシュ通知が届く前に表示アプリ１０が既に起動していた場合は、プッシュ通知が届いた際に表示アプリ１０が記事の見出しの一部の情報を取得することになる。また、プッシュ通知が届く前に表示アプリ１０がバックグランドで既に起動していた場合も、プッシュ通知が届いた際に表示アプリ１０が記事の見出しの一部の情報を取得することになる。
【００９７】
ユーザは、操作表示部１３のアイコン８０に表示された記事の本文を閲覧したい場合は、操作表示部１３のアイコン８０の領域をタップする。アイコン８０の領域がタップされると、操作検出部１１８がその操作を検出する。記事取得部１１１は、操作検出部１１８が操作を検出した場合に（ステップS6／Yes）、詳細表示モードを動作し、アプリ起動コマンドに含まれる記事識別子を基に、その記事識別子の記事の配信要求を記事配信サーバ２に送信する（ステップS7）。
【００９８】
記事配信サーバ２の記事配信部２１３は、記事の配信要求を受け付けた場合に、その配信要求に含まれる記事識別子を基に、その記事識別子に該当する記事を情報処理装置１に配信する（ステップS8）。
【００９９】
情報処理装置１の記事取得部１１１は、記事配信サーバ２から配信された記事を取得し、表示制御部１１６は、記事取得部１１１が取得した記事を基に、その記事の詳細表示画面２０４を操作表示部１３に表示する（ステップS9）。
【０１００】
本実施形態の情報処理装置１は、ユーザ操作により記事表示アプリ１０を起動し、起動画面２０１を操作表示部１３に表示した後は、一覧表示モードが動作し、カテゴリ順一覧表示画面２０２を操作表示部１３に表示することになる。その後、詳細表示画面２０４に遷移するためのユーザ操作が行われた場合に、詳細表示モードが動作し、詳細表示画面２０４を操作表示部１３に表示することになる。また、本実施形態の情報処理装置１は、プッシュ通知により、アイコン表示制御部１１７が記事の見出しの一部の情報を含むアイコンを操作表示部１３に表示した後に、操作検出部１１８がアイコンの領域の操作を検出した場合は、詳細表示モードが動作し、アイコンに表示された見出しに対応する記事の詳細表示画面２０４を操作表示部１３に表示することになる。
【０１０１】
このため、情報処理装置１のユーザは、記事の見出しの一部の情報を含むアイコン８０の領域をタップするという操作を行うだけで、その記事の詳細表示画面２０４を操作表示部１３に表示することができる。その結果、情報処理装置１のユーザは、記事配信サーバ２からプッシュ通知により通知された記事の詳細を簡易な操作で容易に閲覧することができる。
【０１０２】
＜本実施形態の記事配信システムの作用・効果＞
このように、本実施形態の記事配信システムは、記事配信サーバ２は、所定の時間になった場合に（ステップS1／Yes）、その所定の時間帯で記事蓄積部２２２に蓄積されている各種記事の中から所定のルールで記事を選択する（ステップS2）。そして、その選択した記事を一意に識別する記事識別子を含むアプリ起動コマンドと、その選択した記事の見出しの一部の情報と、を含むプッシュ通知を情報処理装置１に通知する（ステップS4）。情報処理装置１は、プッシュ通知が届いた際に、プッシュ通知に含まれるアプリ起動コマンドにより表示アプリ１０が起動し、表示アプリ１０が記事の見出しの一部の情報を取得し、アイコン表示制御部１１７は、その記事の見出しの一部の情報を含むアイコンを操作表示部１３に表示する（ステップS5）。そして、ユーザによりアイコンの領域がタップされると、操作検出部１１８がその操作を検出し（ステップS6／Yes）、詳細表示モードが動作し、記事取得部１１１は、アプリ起動コマンドに含まれる記事識別子を基に、その記事識別子の記事を記事配信サーバ２から取得し、表示制御部１１６は、その取得した記事を基に、その記事の詳細表示画面２０４を操作表示部１３に表示する（ステップS9）。
【０１０３】
これにより、情報処理装置１のユーザは、記事の見出しの一部の情報を含むアイコンの領域をタップするという操作を行うだけで、その記事の詳細表示画面２０４を操作表示部１３に表示することができる。その結果、情報処理装置１のユーザは、記事配信サーバ２からプッシュ通知により通知された記事の詳細を簡易な操作で容易に閲覧することができる。
【０１０４】
なお、上述した実施形態では、所定のルールとして、例えば、所定の時間帯で記事蓄積部２２２に蓄積されている各種記事の中から最も社会的注目度の高い記事を選択するようにしている。しかし、情報処理装置１の社会的注目度解析部１１２で解析した社会的注目度や、個人的注目度解析部１１３で解析した個人的注目度の情報を記事配信サーバ２に予め登録し、記事配信サーバ２がその登録された社会的注目度や、個人的注目度の情報を基に、記事を選択するようにすることも可能である。例えば、所定の時間帯の記事の中で個人的注目度が最大の記事を選択するようにしたり、個人的注目度が最大のカテゴリの中で社会的注目度が最大の記事を選択するようにしたりする。個人的注目度が５番以内のカテゴリの中で社会的注目度が最大の記事を選択するようにしたりする。これにより、記事配信サーバ２は、ユーザにとって最適な記事を選択し、その選択した記事の見出しの一部の情報をプッシュ通知でユーザに通知することができる。
【０１０５】
（第２の実施形態）
次に、第２の実施形態について説明する。
【０１０６】
第１の実施形態では、情報処理装置１は、アプリ起動コマンドに含まれる記事識別子を基に、その記事識別子の記事を記事配信サーバ２から取得し、その取得した記事の詳細表示画面２０４を操作表示部１３に表示するようにした。
【０１０７】
本実施形態では、情報処理装置１は、記事識別子を用いずに記事の詳細表示画面２０４を操作表示部１３に表示するようにする。この場合も、情報処理装置１のユーザは、第１の実施形態と同様に、記事配信サーバ２からプッシュ通知により通知された記事の詳細を簡易な操作で容易に閲覧することができる。以下、図９を参照しながら、本実施形態について詳細に説明する。なお、本実施形態の記事配信システムのシステム構成は、図１に示す第１の実施形態と同様であるため、説明を省略する。また、本実施形態において第１の実施形態と同様の処理については説明を省略する。
【０１０８】
＜記事配信システムの処理動作例＞
まず、記事配信サーバ２の記事配信部２１３は、所定の時間になった場合に（ステップA1／Yes）、その所定の時間帯で記事蓄積部２２２に蓄積されている各種記事の中から所定のルールで記事を選択する（ステップA2）。例えば、第１の実施形態と同様に、最新の時間帯で社会的注目度が最も高い記事を選択する。記事配信部２１３は、所定のルールで選択した記事を記憶しておき、記事の更新を行わないようにする。
【０１０９】
次に、記事配信部２１３は、アプリ起動コマンドと、選択した記事の見出しの一部の情報と、を含むプッシュ通知をプッシュ通知部２１４に依頼する（ステップA3）。
【０１１０】
プッシュ通知部２１４は、プッシュ通知依頼を受け付けた場合に、アプリ起動コマンドと、記事の見出しの一部の情報と、を含むプッシュ通知を情報処理装置１に通知する（ステップA4）。
【０１１１】
情報処理装置１は、プッシュ通知が届いた際に、プッシュ通知に含まれるアプリ起動コマンドにより表示アプリ１０が起動し、表示アプリ１０が記事の見出しの一部の情報を取得し、アイコン表示制御部１１７は、その取得した記事の見出しの一部の情報を含むアイコンを操作表示部１３に表示する（ステップA5）。これにより、情報処理装置１のユーザは、操作表示部１３に表示されたアイコンを閲覧することで記事の見出しの内容を把握することができる。
【０１１２】
ユーザは、操作表示部１３のアイコンに表示された記事の本文を閲覧したい場合は、操作表示部１３のアイコンの領域をタップする。アイコンの領域がタップされると、操作検出部１１８がその操作を検出する。記事取得部１１１は、操作検出部１１８が操作を検出した場合に（ステップA6／Yes）、詳細表示モードが動作し、記事の配信要求を記事配信サーバ２に送信する（ステップA7）。
【０１１３】
記事配信サーバ２の記事配信部２１３は、記事の配信要求を受け付けた場合に、ステップA2で所定のルールで選択した記事を情報処理装置１に配信する（ステップA8）。記事配信部２１３は、所定のルールで選択した記事を記憶しておき、記事の更新を行わないようにしているため、記事の配信要求を受け付けた場合に、ステップA2で所定のルールで選択した記事を情報処理装置１に配信することができる。
【０１１４】
情報処理装置１の記事取得部１１１は、記事配信サーバ２から配信された記事を取得し、表示制御部１１６は、記事取得部１１１が取得した記事を基に、その記事の詳細表示画面２０４を操作表示部１３に表示する（ステップA9）。
【０１１５】
これにより、情報処理装置１のユーザは、記事の見出しの一部の情報を含むアイコンの領域をタップするという操作を行うだけで、その記事の詳細表示画面２０４を操作表示部１３に表示することができる。その結果、情報処理装置１のユーザは、記事配信サーバ２からプッシュ通知により通知された記事の詳細を簡易な操作で容易に閲覧することができる。
【０１１６】
本実施形態では、アプリ起動コマンドに記事識別子を指定していないが、記事配信サーバ２側で所定のルールで選択した記事を記憶し、更新しないようにしている。このため、情報処理装置１側から記事の配信要求を受け付けた場合に、その所定のルールで選択した記事を情報処理装置１に配信することができる。なお、プッシュ通知で情報処理装置１に通知した記事の有効期限を設定し、その設定した有効期限を経過した場合は、記事の更新を可能にし、プッシュ通知で通知した記事の詳細表示画面２０４の表示を保証できないようにすることも可能である。
【０１１７】
（第３の実施形態）
次に、第３の実施形態について説明する。
【０１１８】
第３の実施形態は、情報処理装置１にプッシュ通知が届いた場合に、そのプッシュ通知に含まれる見出しの一部の情報に応じて、その見出しの一部の情報を含むアイコンを操作表示部１３に表示する。例えば、プッシュ通知に含まれる見出しの一部の情報を基に、その見出しの情報がユーザに興味のある情報でない場合は、アイコンを操作表示部１３に表示しないようにする。また、見出しの情報がユーザに興味のある情報である場合は、アイコンを操作表示部１３に表示する。これにより、情報処理装置１のユーザは、ユーザに興味のある見出しの情報を含むプッシュ通知が届いた場合に、その見出しの一部の情報を含むアイコンを操作表示部１３に表示することができる。
【０１１９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１２０】
例えば、上述する実施形態では、記事配信サーバ２がプッシュ通知部２１４を有して構成する場合について説明した。しかし、プッシュ通知部２１４を他のサーバに設けるようにすることも可能である。例えば、例えば、スマフォＯＳを提供する企業が提供しているGCM（Google Cloud Messaging）サーバなどのシステムにプッシュ通知部２１４を設けるようにすることも可能である。この場合は、図１０に示すように、記事配信サーバ２がGCMサーバ３のプッシュ通知部にプッシュ通知依頼を送信することになる（ステップB1）。そして、GCMサーバ３のプッシュ通知部は、プッシュ通知依頼を受信した場合に、そのプッシュ通知依頼を基に、情報処理装置１にプッシュ通知することになる（ステップB2）。これにより、情報処理装置１は、プッシュ通知が届いた際に、プッシュ通知に含まれるアプリ起動コマンドにより表示アプリ１０が起動し、表示アプリ１０が記事の見出しの一部の情報を取得し、アイコン表示制御部１１７は、その取得した記事の見出しの一部の情報を含むアイコンを操作表示部１３に表示することになる（ステップS5）。
【０１２１】
また、上記実施形態の記事配信システムを構成する各装置における制御動作は、ハードウェア、ソフトウェア、あるいは、両者の複合構成を用いて実行することも可能である。
【０１２２】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【０１２３】
例えば、プログラムは、記録媒体としてのハードディスクやＲＯＭ（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【０１２４】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【０１２５】
プログラムの形態としては、クラウド等によるネット上のサーバからの利用もありえる。一部のプログラムのみをコンピュータに転送して利用する形態もありえる。
【０１２６】
また、上記実施形態の記事配信システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【０１２７】
１    情報処理装置
１１    制御部
１０    記事表示アプリ
１１１    記事取得部
１１２    社会的注目度解析部
１１３    個人的注目度解析部
１１４    纏め部
１１５    記事選択部
１１６    表示制御部
１１７    アイコン表示制御部
１１８    操作検出部
１２    記憶部
１２１    記事蓄積部
１２２    プロファイル情報記憶部
１３    操作表示部
２    記事配信サーバ
２１    制御部
２１１    記事取得部
２１２    社会的注目度解析部
２１３    記事配信部
２１４    プッシュ通知部
２２    記憶部
２２２    記事蓄積部
３    ＧＣＭサーバ
【図１】
2017102652.tif 000003
【図２】
2017102652.tif 000004
【図３】
2017102652.tif 000005
【図４】
2017102652.tif 000006
【図５】
2017102652.tif 000007
【図６】
2017102652.tif 000008
【図７】
2017102652.tif 000009
【図８】
2017102652.tif 000010
【図９】
2017102652.tif 000011
【図１０】
2017102652.tif 000012